(57)【要約】【課題】簡単な構成で、ベッドの低床化を図り、ベッド使用者や看護者、介護者の作業の邪魔になることなく省スペースでサイドレールを格納することができるベッドサイド構造を提供する。【解決手段】ベッド（１）のマットレス（２）の側部にサイドレール（４）を備えるベッドサイド構造において、サイドレール（４）を支持する支持部材（７）を備え、その一端側をマットレス（２）が載置される床部（３）側に連結し、他端側をサイドレール（４）側に連結して、サイドレール（４）をマットレス（２）の上方および下方に変移可能に構成し、サイドレール（４）の構成として、マットレス（２）上方に変移した状態でサイドレール（４）の下端縁（４ｄ）をマットレス（２）下側に配置し、マットレス（２）下方に変移した状態でサイドレール（４）上端部（４ｃ）をマットレス（２）下側に配置することを特徴とするものである。【選択図】図１
2015123177.tif 000002
【特許請求の範囲】
【請求項１】
ベッドの側部にサイドレールを備えるベッドサイド構造において、
前記サイドレールを支持する支持部材を備え、
前記支持部材は、一端側がマットレスが載置される床部側に連結され、他端側がサイドレール側に連結され、前記サイドレールを前記マットレスの上方および下方に変移可能に構成され、
前記サイドレールは、前記マットレスの上方に変移した状態で、前記サイドレールの下部が前記マットレスの下側に配置され、前記マットレスの下方に変移した状態で、前記サイドレールの上部が前記マットレスの下側に配置されることを特徴とするベッドサイド構造。
【請求項２】
前記サイドレールは、前記マットレスの長手方向の側部に沿って設けられることを特徴とする請求項１に記載のサイドベッド構造。
【請求項３】
前記マットレスは、長手方向の側部の中央部付近が頭部側よりも幅方向が狭くなるように構成され、
前記サイドレールは、反頭部側の端部が前記マットレスの形状に沿ってベッド内側に向いた形状に構成されることを特徴とする請求項２に記載のサイドレールの構造。
【発明の詳細な説明】
【技術分野】
【０００１】
本発明は、ベッドサイド構造の構造に係り、特に、ベッドの側部にサイドレールを備えるベッドサイド構造に関する。
【背景技術】
【０００２】
従来から、病院等で使用される医療用ベッド、施設や住宅等の介護で使用される介護用ベッドや家庭用ベッドには、使用者及び寝具等がベッドから落下することを防止するため、両側部に側柵（以下、サイドレールという）が取り付けられている。このサイドレールは、通常、ベッドのサイドフレームに脱着可能に取り付けられており、不要なときには取り外すことができるようになっている（特許文献１を参照）。
【０００３】
しかしながら、従来の方式では、サイドレールを取り外す作業が煩雑であり、また、取り外したサイドレールを置いておくスペースを確保する必要があるという問題が生じている。
【０００４】
上記問題の対策として、従来からサイドレールを取り外すことなくベッドサイドの下側に退避するようにした構成が考えられるが、以下のような問題が生じる。
【０００５】
例えば、サイドレールを、マットレスを支えるボトムの下側に格納するようにした場合は、サイドレールを動作させるスペースやサイドレールを格納するスペースを確保するためのベッドの高さが必要となるために、ベッドを低床化することが困難であった。
【０００６】
また、サイドレールを、折り畳める構成にしてコンパクトにしてボトムの下側に格納するようにした場合は、サイドレールの構造が複雑になるとともに、強度を考慮する必要がありコストが高くなるという問題が生じる。
【０００７】
また、サイドレールを、ボトムの下側に格納するのではなく、ボトムの外側に格納するようにした場合は、ボトムの下側に格納スペースを必要としないためベッドの低床化を図ることができる。
【０００８】
具体的には、サイドレールを上下方向に変移可能なリンク構成として、ベッド使用者の使用状況に応じてサイドレールを昇降させるようにしたサイドレール構造を備えたものが提案されている（特許文献２を参照）。
【０００９】
特許文献２の構成によれば、サイドレールを取り外すことなく容易に退避させることができる。また、マットレスの下側をリンク構造やベッドの構成部品の一部を収納するスペースとして利用できるので、リンクの設計を容易にできる。
【先行技術文献】
【特許文献】
【００１０】
【特許文献１】特開２００５−１５２０５７号公報
【特許文献２】特開２０１１−１８９１２９号公報
【発明の概要】
【発明が解決しようとする課題】
【００１１】
しかしながら、特許文献２の構成では、サイドレールを下降させた状態で、サイドレールをベッドサイドの下方側部に格納するため、サイドレールがマットレス端面から飛び出して、ベッド使用者の端座位や看護者、介護者の作業の邪魔になるという問題が生じる。
【００１２】
本発明は、上記従来の問題点に鑑みてなされたものであって、簡単な構成で、ベッドの低床化を図るとともに、ベッド使用者の端座位や看護者、介護者の作業の邪魔になることなく省スペースでサイドレールを格納することができるベッドサイド構造を提供することを目的とする。
【課題を解決するための手段】
【００１３】
上述した課題を解決するための本発明に係るベッドサイド構造は、次の通りである。
【００１４】
本発明は、ベッドの側部にサイドレールを備えるベッドサイド構造において、前記サイドレールを支持する支持部材を備え、前記支持部材の構成として、一端側をマットレスが載置される床部側に連結して、他端側をサイドレール側に連結し、前記サイドレールを前記マットレスの上方および下方に変移可能に構成して、前記サイドレールの構成として、前記マットレスの上方に変移した状態で、前記サイドレールの下部を前記マットレスの下側（側端の下側）に配置し、前記マットレスの下方に変移した状態で、前記サイドレールの上部を前記マットレスの下側（側端の下側）に配置することを特徴とするものである。
【００１５】
また、本発明は、前記サイドレールを、前記マットレスの長手方向の側部に沿って設けることが好ましい。
【００１６】
また、本発明は、前記マットレスを、長手方向の側部の中央部付近が頭部側よりも幅方向が狭くなるように内側に凹んだ形状に構成し、前記サイドレールを、反頭部側の端部が前記マットレスの形状に沿ってベッド内側に向いた形状に構成することが好ましい。
【発明の効果】
【００１７】
本発明のベッドサイド構造によれば、ベッドの側部にサイドレールを備えるベッドサイド構造において、前記サイドレールを支持する支持部材を備え、前記支持部材の構成として、一端側をマットレスが載置される床部側に連結して、他端側をサイドレール側に連結し、前記サイドレールを前記マットレスの上方および下方に変移可能に構成して、前記サイドレールの構成として、前記マットレスの上方に変移した状態で、前記サイドレールの下部を前記マットレスの下側に配置し、前記マットレスの下方に変移した状態で、前記サイドレールの上部を前記マットレスの下側に配置することで、簡単な構成で、ベッドの低床化を図るとともに、ベッド使用者の端座位や看護者、介護者の作業の邪魔になることなく省スペースでサイドレールを格納することができる。
【００１８】
また、本発明によれば、前記サイドレールを、前記マットレスの長手方向の側部に沿って設けることで、前記サイドレールにより前記マットレスの側部を支持することができ、前記マットレスを安定して設置することができる。
【００１９】
また、本発明によれば、前記マットレスを、長手方向の側部の中央部付近が頭部側よりも幅方向が狭くなるように内側に凹んだ形状に構成し、前記サイドレールを、反頭部側の端部が前記マットレスの形状に沿ってベッド内側に向いた形状に構成することで、ベッド使用者が端座位の状態におけるベッド側端より外側に端部が位置するため、ベッド使用者が仰臥位から端座位に姿勢を変えるとき、端座位から立位に姿勢を変えるとき、またはその逆に姿勢を変えるときに、前記サイドレールを掴み易くできるので、姿勢を変化させる動作を安定して行うことができる。
【図面の簡単な説明】
【００２０】
【図１】本発明の第１実施形態に係るベッドサイド構造を備えたベッドの概略の構成を示す説明図である。
【図２】前記ベッドの側面図である。
【図３】図２のフット側から見た側面図である。
【図４】前記ベッドサイド構造においてサイドレールが上昇した状態を示すフット側から見た説明図である。
【図５】前記ベッドサイド構造においてサイドレールが移動する途中の状態を示すフット側から見た説明図である。
【図６】前記ベッドサイド構造においてサイドレールが下降した状態を示すフット側から見た説明図である。
【図７】前記サイドレールと支持部材の構成を示すベッド外側方向から見た斜視図である。
【図８】前記サイドレールと支持部材の構成を示すベッド内側方向から見た斜視図である。
【図９】前記支持部材を構成するステーの構成を示す斜視図である。
【図１０】本発明の第２実施形態に係るベッドサイド構造を備えたベッドの概略の構成を示す説明図である。
【図１１】前記ベッドの側面図である。
【図１２】前記ベッドサイド構造においてサイドレールが上昇した状態を示す斜め側方から見た説明図である。
【図１３】前記ベッドサイド構造においてサイドレールが移動する途中の状態を示す斜め側方から見た説明図である。
【図１４】前記ベッドサイド構造においてサイドレールが下降した状態を示す斜め側方から見た説明図である。
【図１５】前記ベッドサイド構造においてサイドレールが上昇した状態を示すフット側から見た説明図である。
【図１６】前記ベッドサイド構造においてサイドレールが移動する途中の状態を示すフット側から見た説明図である。
【図１７】前記ベッドサイド構造においてサイドレールが下降した状態を示すフット側から見た説明図である。
【図１８】前記サイドレールと支持部材の構成を示すベッド外側方向から見た斜視図である。
【図１９】前記サイドレールと支持部材の構成を示すベッド内側方向から見た斜視図である。
【発明を実施するための形態】
【００２１】
（第１実施形態）
以下、本発明のベッドサイド構造を実施するための形態について図面を参照して詳細に説明する。
図１は本発明を実施する形態の一例であって、本発明の第１実施形態に係るベッドサイド構造を備えたベッドの概略の構成を示す説明図、図２は前記ベッドの側面図、図３は図２のフット側から見た側面図である。
【００２２】
第１実施形態は、図１，図２に示すように、マットレス２と、マットレス２が載置される床部３とを備え、マットレス２の側部にサイドレール４が設けられたベッド１において、本発明の特徴的なベッドサイド構造を採用したものである。
【００２３】
ベッド１のヘッド側とフット側には、それぞれヘッドボード５，フットボード６が設けられている。
【００２４】
マットレス２は、ヘッド側からフット側に沿った方向に長い矩形状に形成されている。
【００２５】
サイドレール４は、図１に示すように、ベッド１の長手方向の側部のヘッド側から中央部付近にわたり、ベッド使用者の上体部に対応するように設けられている。そして、サイドレール４は、図２，図３に示すように、支持部材（取付けブラケット）７により床部３の側面に取付けられている。
【００２６】
支持部材７は、サイドレール４の下部の長手方向のほぼ中央部を支持するように構成されている。
【００２７】
第１実施形態のベッド１のベッドサイド構造は、ベッド１の側部において、サイドレール４を支持部材７により上下方向に昇降可能に構成したものである。
【００２８】
以下に、第１実施形態のベッドサイド構造における特徴的な構成について図面を参照して説明する。
図４は第１実施形態に係るベッドサイド構造においてサイドレールが上昇した状態を示すフット側から見た説明図、図５は前記ベッドサイド構造においてサイドレールが移動する途中の状態を示すフット側から見た説明図、図６は前記ベッドサイド構造においてサイドレールが下降した状態を示すフット側から見た説明図である。
【００２９】
サイドレール４を上昇させてベッド１の所定位置に配置した状態では、図４に示すように、サイドレール４はマットレス２の側端部２ａに沿って配置され、サイドレール４の下端部４ｄがマットレス２の側端部２ａの下側に位置するようにされている。
【００３０】
このとき、サイドレール４の下端部４ｄは、マットレス２の側端部２ａをフット側端部４ａからヘッド側端部４ｅにわたり下方から支持するようにされている。
【００３１】
一方、サイドレール４を下降させてベッド１の下方に収納した状態では、図６に示すように、サイドレール４がマットレス２の下側に配置されて、サイドレール４の上端縁４ｃがマットレス２の側端部２ａの下側に位置するようにされている。
【００３２】
このとき、サイドレール４の上端縁４ｃは、マットレス２の側端部２ａを下方から支持するようにされている。
【００３３】
マットレス２は、図５に示すように、長手方向の側端部２ａの下側面２ｂが、ベッド外側に向かい高くなるように傾斜して形成されている。
【００３４】
すなわち、マットレス２の側端部２ａは、下側面２ｂがベッド外側に向かい上方に傾斜した先細りのテーパ形状に形成されている。第１実施形態では、下側面２ｂの傾斜角度θは３０°で形成されている。
【００３５】
サイドレール４の下端部４ｄは、図４に示すように、マットレス２の側端部２ａの下側面２ｂに沿って当接するように、ベッド内側に向かい低くなるように、下方に傾斜した形状でベッド内側に向かい突出して構成されている。
【００３６】
また、サイドレール４の上端縁４ｃは、図６に示すように、マットレス２の側端部２ａの下側面２ｂに沿って当接するように、ベッド外側に向かい高くなるように、上方に傾斜した形状で構成されている。
【００３７】
ここで、第１実施形態のサイドレール４とそれを支持する支持部材７の構成について図面を参照して説明する。
図７は第１実施形態のサイドレールと支持部材の構成を示すベッド外側方向から見た斜視図、図８は前記サイドレールと支持部材の構成を示すベッド内側方向から見た斜視図、図９は前記支持部材を構成するステーの構成を示す斜視図である。
【００３８】
第１実施形態のサイドレール４は、図１，図２に示すように、マットレス２の長手方向の側部に沿って設けられている。
【００３９】
サイドレール４は、図２に示すように、フット側（反頭部側）の端部（以下、「フット側端部」と称する。）４ａがその先端に向かうに連れて、マットレス２の床面に対して低くなるように構成されている。第１実施形態では、フット側端部４ａは、先端に向かうに連れて円弧状に低くなるように形成されている。
【００４０】
また、サイドレール４は、図２，図７に示すように、開口部４ｂがヘッド側からフット側にわたり長く上部寄りに形成されている。サイドレール４の上端縁４ｃは、開口部４ｂの上部輪郭をなし、ベッド使用者Ｐ等により把持可能な形状や把持に適した形状を呈している。上端縁４ｃの断面形状は、例えば、円形状や楕円形状、また、不均一な輪郭を持つ断面形状であってもよく、断面形状は限定されない。
【００４１】
サイドレール４の上端縁４ｃは、図２，図７に示すように、フット側端部４ａの先端に向かうに連れて、マットレス２の床面に対して低くなるように円弧状に構成され、かつ、ベッド使用者Ｐ等が把持可能に構成される。
【００４２】
フット側端部４ａにおける開口部４ｂは、図２，図４に示すように、フット側端部４ａの先端に向かうに連れて、マットレス２の床面に対して低くなるように構成されている。
【００４３】
サイドレール４を支持する支持部材７は、図７，図８，図９に示すように、本体側サイドレールブラケット７ａ、ベッド側サイドレールブラケット７ｂ、第１ステー７１、第２ステー７２を備えて構成されている。
【００４４】
本体側サイドレールブラケット７ａは、サイドレール本体側に設けられて、支持部材７をサイドレール４側に取付けるものである。
【００４５】
ベッド側サイドレールブラケット７ｂは、ベッド１側に設けられて、支持部材７をベッド１側に取付けるものである。
【００４６】
第１ステー７１は第２ステー７２よりも幅広に構成される。
第２ステー７２は第１ステー７１を挟む位置で２個所に配置される。
【００４７】
支持部材７は、第１ステー７１と第２ステー７２とが本体側サイドレールブラケット７ａおよびベッド側サイドレールブラケット７ｂに揺動可能に連結されることでリンク機構が構成される。
【００４８】
具体的には、図４，図５に示すように、第１ステー７１は第２ステー７２の上方に配置され、第１ステー７１の一端部７１ａと第２ステー７２の他端部７２ｂが本体側サイドレールブラケット７ａ側に回動可能に取付けられ、第１ステー７１の他端部７１ｂと第２ステー７２の他端部７２ｂがベッド側サイドレールブラケット７ｂ側に回動可能に取付けられる。
【００４９】
本体側サイドレールブラケット７ａにおいては、第１ステー７１の一端部７１ａが第２ステー７２の一端部７２ａよりも上方に取付けられている。
また、ベッド側サイドレールブラケット７ｂにおいては、第１ステー７１の他端部７１ｂが第２ステー７２の他端部７２ｂよりも上方に取付けられている。
【００５０】
このように、支持部材７は、平行リンク機構として機能して、マットレス２に対してサイドレール４を略垂直に支持した状態で、上下方向に昇降するように構成されている。
【００５１】
さらに、第１ステー７１には、図９に示すように、ロックユニット７１１が設けられている。ロックユニット７１１は、サイドレール４を上昇させた時に、側壁として機能する所定の位置でサイドレール４と支持部材７とを固定するものである。
【００５２】
ロックユニット７１１は、操作部７１１ａと、操作部７１１ａに連動するロックピン７１１ｂとを備えて構成されている。
【００５３】
ロックピン７１１ｂは、第１ステー７１の幅方向の両側面７１ｃに設けられて、図示しないばね部材により第１ステー７１の内側から外側に突出する向き付勢されている。
そして、ロックピン７１１ｂは、操作部７１１ａと連動するように構成され、操作部７１１ａを操作することでロックピン７１１ｂを出没するようにされている。
【００５４】
図９中の符号で、７１ａ１は第１ステー７１を本体側サイドレールブラケット７ａに回動可能に取付ける取付け部、７１ｂ１は第１ステー７１をベッド側サイドレールブラケット７ｂに回動可能に取付ける取付け部を示す。
【００５５】
第１実施形態では、ロックユニット７１１は、サイドレール４がベッド１に対して所定の位置に配置されたときに、第２ステー７２の側面に設けられた図示しない位置決め穴にロックピン７１１ｂを装入させて、第２ステー７２と第１ステー７１とを所定位置で固定することで、支持部材７の動きをロックしてサイドレール４を所定の位置で保持するように構成されている。
【００５６】
次に、第１実施形態のベッドサイド構造によるサイドレール４の昇降操作について図面を参照して説明する。
【００５７】
ベッド１のベッドサイド構造において、サイドレール４をベッドサイドに設置する場合は、図６に示すように、ベッド下方に収納されたサイドレール４を、上端縁４ｃを持って引き上げて、図４に示すように、サイドレール４をベッドサイドに配置する。
【００５８】
サイドレール４がベッド下方に収納されている時は、マットレス２の側端部２ａの下側にサイドレール４の上端縁４ｃが配置されて、上端縁４ｃによりマットレス２の側端部２ａを下側より支持されている。
【００５９】
サイドレール４を上方に引き上げる時は、マットレス２の側端部２ａの下側面２ｂがベッド外側に向かい高くなるように傾斜して形成されており、図５に示すように、支持部材７のリンク機構によりサイドレール４が外側に移動しながら上方に移動するので、サイドレール４をベッド下方から容易に移動することができる。
【００６０】
サイドレール４をベッドサイドに設置する場合は、サイドレール４を図６，図５に示すように上昇させて、図４に示すようにベッド１の所定位置に配置する。
【００６１】
サイドレール４が所定位置まで上昇すると、ロックユニット７１１のロックピン７１１ｂが作動して、第２ステー７２と第１ステー７１が所定位置で固定される。これにより、支持部材７の動きがロックされてサイドレール４が所定の位置で保持される。
このようにしてサイドレール４の設置が終了する。
【００６２】
サイドレール４を収納する場合は、ロックユニット７１１の操作部７１１ａを操作してロックピン７１１ｂによる第１ステー７１と第２ステー７２のロック状態を解除して、支持部材７によりサイドレール４を下降して、ベッド下方に収納する。
【００６３】
このとき、サイドレール４は、図６に示すように、マットレス２の下側に配置されて、サイドレール４の上端縁４ｃがマットレス２の側端部２ａの下側面２ｂを保持する状態となる。このようにしてサイドレール４の収納が終了する。
【００６４】
以上のように構成したので、第１実施形態によれば、マットレス２の側部にサイドレール４を備えるベッド１のベッドサイド構造において、サイドレール４を支持する支持部材７を備え、支持部材７の構成として、一端側をマットレス２が載置される床部３側に連結し、他端側をサイドレール４側に連結して、サイドレール４をマットレス２の上方および下方に変移可能に構成し、サイドレール４の構成として、マットレス２の上方に変移した状態で、サイドレール４の上端縁４ｃをマットレス２の側端部２ａの下側に配置し、マットレス２の下方に変移した状態で、サイドレール４の下端部４ｄがマットレス２の側端部２ａの下側に配置するようにしたので、簡単な構成で、ベッド１の低床化を図るとともに、ベッド使用者の端座位や看護者、介護者の作業の邪魔になることなく省スペースでサイドレール４を格納することができる。
【００６５】
また、第１実施形態によれば、サイドレール４を設置した状態および格納した状態において、サイドレール４の上端縁４ｃおよび下端部４ｄによりマットレス２の側端部２ａを支持するようにしたので、マットレス２を安定して設置することができる。
【００６６】
（第２実施形態）
次に、本発明の第２実施形態について図面を参照して説明する。
図１０は本発明の第２実施形態に係るベッドサイド構造を備えたベッドの概略の構成を示す説明図、図１１は前記ベッドの側面図である。
【００６７】
第２実施形態は、図１０に示すように、マットレス２０２と、マットレス２０２の側部にサイドレール２０４が設けられたベッド２００において、矩形状とは異なるマットレスの形状に対応して、本発明の特徴的なベッドサイド構造を採用したものである。
【００６８】
第２実施形態では、マットレス２０２は、図１０に示すように、長手方向の側部の中央部付近には内側に凹んだ凹部２０２ｃ形成され、その凹部２０２ｃを境に、ベッド使用者Ｐの上体部に対応する上部２０２Ａと、ベッド使用者Ｐの脚部を含む下体部に対応する下部２０２Ｂと、が形成されている。
【００６９】
すなわち、マットレス２０２の概ねの形状は、長手方向の中央部付近が凹んで上部２０２Ａが広く下部２０２Ｂが狭い、従来のマットレスのような四角形ではない形状（例えば、中央部付近がくびれた「こけし」のような形状等）を呈している。
【００７０】
具体的には、マットレス２０２の上部２０２Ａは、ヘッド側の幅方向寸法Ｗ１１より中央付近の幅方向寸法Ｗ１２を大きくしてベッド使用者Ｐの上体の動作範囲を広くとっている。
【００７１】
マットレス２０２の下部２０２Ｂは、幅方向寸法Ｗ１３を上部２０２Ａのヘッド側の幅方向寸法Ｗ１２よりも狭くなるように構成されている。
【００７２】
マットレス２０２の中央部付近の凹部２０２ｃは、幅方向寸法Ｗ１４を下部２０２Ｂの幅方向寸法Ｗ１３よりも狭くなるように構成されている。
【００７３】
マットレス２０２の上部２０２Ａの中央部付近の角部２０２ａ１が凸形状に形成されている。
【００７４】
サイドレール２０４は、図１０に示すように、ベッド２００の長手方向の側部のヘッド側から中央部付近にわたり、ベッド使用者Ｐの上体部に対応するマットレス２０２の上部２０２Ａの側部に沿って設けられている。そして、サイドレール２０４は、図１１に示すように、支持部材７により床部２０３の側面に取付けられている。
【００７５】
支持部材７は、サイドレール２０４の下部の長手方向のほぼ中央部を支持するように構成されている。
【００７６】
第２実施形態のベッド２００のベッドサイド構造は、ベッド２００の側部において、サイドレール２０４を支持部材７により上下方向に昇降可能に構成したものである。
【００７７】
以下に、第２実施形態のベッドサイド構造における特徴的な構成について図面を参照して説明する。
図１２は本発明の第２実施形態に係るベッドサイド構造においてサイドレールが上昇した状態を示す斜め側方から見た説明図、図１３は前記ベッドサイド構造においてサイドレールが移動する途中の状態を示す斜め側方から見た説明図、図１４は前記ベッドサイド構造においてサイドレールが下降した状態を示す斜め側方から見た説明図、図１５は前記ベッドサイド構造においてサイドレールが上昇した状態を示すフット側から見た説明図、図１６は前記ベッドサイド構造においてサイドレールが移動する途中の状態を示すフット側から見た説明図、図１７は前記ベッドサイド構造においてサイドレールが下降した状態を示すフット側から見た説明図である。
【００７８】
なお、第２実施形態のサイドレール２０４の形状およびベッドへの取付け構造は、第１実施形態のサイドレール４の形状およびベッドへの取付け構造とほぼ同様な構成を有するものとして、第１実施形態の説明を参照するものとする。
【００７９】
サイドレール２０４を上昇させてベッド２００の所定位置に配置した状態では、図１２，図１５に示すように、サイドレール２０４はマットレス２０２の側端部２０２ａに沿って配置され、サイドレール２０４の下端部２０４ｄがマットレス２０２の側端部２０２ａの下側に位置するようにされている。
【００８０】
このとき、サイドレール２０４の下端部２０４ｄは、マットレス２０２の側端部２０２ａをフット側端部２０４ａからヘッド側端部２０４ｅにわたり下方から支持するようにされている。
【００８１】
一方、サイドレール２０４を下降させてベッド２００の下方に収納した状態では、図１４，図１７に示すように、サイドレール２０４がマットレス２０２の下側に配置されて、サイドレール２０４の上端縁２０４ｃがマットレス２０２の側端部２０２ａの下側に位置するようにされている。
【００８２】
このとき、サイドレール２０４の上端縁２０４ｃは、マットレス２の側端部２０２ａを下方から支持するようにされている。
【００８３】
マットレス２０２は、図１６に示すように、長手方向の側端部２０２ａの下側面２０２ｂが、ベッド外側に向かい高くなるように傾斜して形成されている。
【００８４】
すなわち、マットレス２０２の側端部２０２ａは、下側面２０２ｂがベッド外側に向かい上方に傾斜した先細りのテーパ形状に形成されている。
【００８５】
サイドレール２０４の下端部２０４ｄは、図１５に示すように、マットレス２０２の側端部２０２ａの下側面２０２ｂに沿って当接するように、ベッド内側に向かい低くなるように、下方に傾斜した形状でベッド内側に向かい突出して構成されている。
【００８６】
また、サイドレール２０４の上端縁２０４ｃは、図１７に示すように、マットレス２０２の側端部２０２ａの下側面２０２ｂに沿って当接するように、ベッド外側に向かい高くなるように、上方に傾斜した形状で構成されている。
【００８７】
ここで、第２実施形態のサイドレール２０４の構成について図面を参照して説明する。
図１８は第２実施形態のサイドレールと支持部材の構成を示すベッド外側方向から見た斜視図、図１９は前記サイドレールと支持部材の構成を示すベッド内側方向から見た斜視図である。
【００８８】
なお、第２実施形態において、サイドレール２０４を支持する支持部材７の構成は、第１実施形態の支持部材７と同様な構成を備えるものとして、同一の符号を付することで説明を省略する。
【００８９】
第２実施形態のサイドレール２０４は、図１０，図１８に示すように、サイドレール２０４のフット側端部２０４ａをベッド内側に向けて形成した湾曲部２４１が構成されている。湾曲部２４１は把持可能に構成される。
【００９０】
第２実施形態では、湾曲部２４１は、円弧状に湾曲して、フット側端部２０４ａの先端に向かうに連れて、マットレス２０２の床面に対して低くなるように構成されている。第２実施形態では、湾曲部２４１は先端に向かうに連れて円弧状に低くなるように形成されている。
【００９１】
また、サイドレール２０４は、図１１，図１８に示すように、開口部２０４ｂがヘッド側からフット側にわたり長く上部寄りに形成されている。サイドレール２０４の上端縁２０４ｃは、開口部２０４ｂの上部輪郭をなし、ベッド使用者Ｐ等により把持可能な形状や把持に適した形状を呈している。上端縁２０４ｃの断面形状は、例えば、円形状や楕円形状、また、不均一な輪郭を持つ断面形状であってもよく、断面形状は限定されない。
【００９２】
サイドレール２０４の上端縁２０４ｃは、湾曲部２４１においては、フット側端部２０４ａの先端に向かうに連れて、マットレス２０２の床面に対して低くなるように円弧状に構成され、かつ、ベッド使用者Ｐ等が把持可能に構成される。
【００９３】
湾曲部２４１における開口部２０４ｂは、フット側端部４ａの先端に向かうに連れて、マットレス２の床面に対して低くなるように構成されている。
【００９４】
次に、第２実施形態のベッドサイド構造によるサイドレール２０４の昇降操作について図面を参照して説明する。
【００９５】
ベッド２００のベッドサイド構造において、サイドレール２０４をベッドサイドに設置する場合は、図１４に示すようにベッド下方に収納されたサイドレール２０４を、上端縁２０４ｃを持って引き上げて、図１２，図１５に示すように、サイドレール２０４をベッドサイドに配置する。
【００９６】
サイドレール２０４がベッド下方に収納されている時は、マットレス２０２の側端部２０２ａの下側にサイドレール２０４の上端縁２０４ｃが配置されて、上端縁２０４ｃによりマットレス２０２の側端部２０２ａを下側より支持されている。
【００９７】
サイドレール２０４を上方に引き上げる時は、マットレス２０２の側端部２０２ａの下側面２０２ｂがベッド外側に向かい高くなるように傾斜して形成されており、図１６に示すように、支持部材７のリンク機構によりサイドレール２０４が外側に移動しながら上方に移動するので、サイドレール２０４をベッド下方から容易に移動することができる。
【００９８】
サイドレール２０４をベッドサイドに設置する場合は、サイドレール２０４を図１７，図１６に示すように上昇させて、図１５に示すようにベッド２００の所定位置に配置する。
【００９９】
サイドレール２０４が所定位置まで上昇すると、ロックユニット７１１のロックピン７１１ｂが作動して、第２ステー７２と第１ステー７１とが所定位置で固定される。これにより、支持部材７の動きがロックされてサイドレール２０４が所定の位置で保持される。
このようにしてサイドレール２０４の設置が終了する。
【０１００】
サイドレール２０４を収納する場合は、ロックユニット７１１の操作部７１１ａを操作してロックピン７１１ｂによる第１ステー７１と第２ステー７２のロック状態を解除して、支持部材７によりサイドレール２０４を下降して、ベッド下方に収納する。
【０１０１】
このとき、サイドレール２０４は、図１７に示すように、マットレス２０２の下側に配置されて、サイドレール２０４の上端縁２０４ｃがマットレス２０２の側端部２０２ａの下側面２０２ｂを保持する状態となる。このようにしてサイドレール２０４の収納が終了する。
【０１０２】
以上のように構成したので、第２実施形態によれば、マットレス２０２と、マットレス２０２の側部にサイドレール２０４を備えるベッド２００のベッドサイド構造において、サイドレール２０４の構成として、マットレス２０２の上方に変移した状態で、サイドレール２０４の上端縁２０４ｃをマットレス２０２の側端部２０２ａの下側に配置し、マットレス２０２の下方に変移した状態で、サイドレール２０４の下端部２０４ｄがマットレス２０２の側端部２０２ａの下側に配置する構成に加えて、マットレス２０２の構成として、上述したように特徴的なマットレス形状で構成し、サイドレール２０４をマットレス２０２の側端部２０２ａに沿って設け、フット側端部２０４ａをマットレス２０２中央部付近でベッド内側に円弧状に湾曲して形成した湾曲部２４１を構成するようにしたので、簡単な構成で、ベッド２００の低床化を図るとともに、ベッド使用者の端座位や看護者、介護者の作業の邪魔になることなく省スペースでサイドレール２０４を格納することができ、さらに、ベッド使用者Ｐが仰臥位から端座位に姿勢を変えるとき、端座位から立位に姿勢を変えるとき、またはその逆に姿勢を変えるときに、サイドレール２０４を掴みし易くして、利用者Ｐがベッド２００を使用する際やベッドから離れる際に、姿勢を変化させる動作を安定して行うことができる。
【０１０３】
なお、本発明は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【０１０４】
例えば、医療用、介護用、家庭用のベッド等に用いられるベッドは、使用者の体型、ベッド設置環境、ベッドに設置される周辺機器、臨床者の作業性、その他の要求などによって、その形状は、ベッド従来の形である四角形に限定されない。従って、本発明のベッドサイド構造を、第２実施形態に示すように、四角形ではない異形状のマットレスに対応して構成することで、さまざまな要求への対応が可能となる。
【産業上の利用可能性】
【０１０５】
本発明のサイドレールの構造は、医療用、介護用、家庭用のベッド等に利用することができる。
【符号の説明】
【０１０６】
１，２００  ベッド
２，２０２  マットレス
２ａ，２０２ａ  側端部
２ｂ，２０２ｂ  下側面
３，２０３  床部
４，２０４  サイドレール
７  支持部材
７ａ  本体側サイドレールブラケット
７ｂ  ベッド側サイドレールブラケット
７１  第１ステー
７２  第２ステー
７１１  ロックユニット
７１１ａ  操作部
７１１ｂ  ロックピン
Ｐ  ベッド使用者
【図１】
2015123177.tif 000003
【図２】
2015123177.tif 000004
【図３】
2015123177.tif 000005
【図４】
2015123177.tif 000006
【図５】
2015123177.tif 000007
【図６】
2015123177.tif 000008
【図７】
2015123177.tif 000009
【図８】
2015123177.tif 000010
【図９】
2015123177.tif 000011
【図１０】
2015123177.tif 000012
【図１１】
2015123177.tif 000013
【図１２】
2015123177.tif 000014
【図１３】
2015123177.tif 000015
【図１４】
2015123177.tif 000016
【図１５】
2015123177.tif 000017
【図１６】
2015123177.tif 000018
【図１７】
2015123177.tif 000019
【図１８】
2015123177.tif 000020
【図１９】
2015123177.tif 000021